(57)【要約】      （修正有）【課題】イヤホンやヘッドホン、あるいはイヤホンやヘッドホンと電子機器との間に配置されてそれらの間の信号を中継する中継ケーブル、等のプラグ付きケーブルに関し、所望の受信周波帯域内に直列共振周波数のないプラグ付きケーブルを提供する。【解決手段】グランド線２＿２を含む複数の配線２＿１〜２＿４を有するケーブル２の一端に、ジャックと該ジャックを介して該ケーブルのグランド線に接続し、該ジャックを介して伝送されてきた電波信号を受けて音声信号及び／又は、画像信号を生成するチューナ回路とを有する電子機器（不図示）の該ジャックと組み合うプラグ４１を備えたプラグアセンブリ４を接続してプラグ付きケーブル１Ｂを形成する。さらに、プラグアセンブリ４が、上記複数の配線２＿１〜２＿４のうちのグランド線２＿２とそのグランド線２＿２を除く他の少なくとも一本の配線２＿３との間に接続されたコンデンサＣ１を有する。【選択図】図７
0003183018.tif 000002
【実用新案登録請求の範囲】
【請求項１】
グランド線を含む複数の配線を有するケーブルの一端に、
ジャックと該ジャックを介して該ケーブルのグランド線に接続され、該ジャックを介して伝送されてきた電波信号を受けて音声信号及び／又は、画像信号を生成するチューナ回路とを有する電子機器の該ジャック
と組み合うプラグを備えたプラグアセンブリが接続されてなるプラグ付きケーブルであって、
前記プラグアセンブリが、前記複数の配線のうちの前記グランド線と該グランド線を除く他の少なくとも一本の配線との間に接続されたコンデンサを有することを特徴とするプラグ付きケーブル。
【請求項２】
前記プラグアセンブリが、前記複数の配線のうちの前記グランド線以外の一本の配線を除いた、該グランド線を含む各配線上に、該各配線と直列に配置された各コイルを備え、前記コンデンサが、少なくとも該一本の配線と該グランド線との間に接続されていることを特徴とする請求項１記載のプラグ付きケーブル。
【請求項３】
前記プラグアセンブリが、前記複数の配線のうちの前記グランド線を除いた各配線上に該各配線と直列に接続された各コイルを備えたことを特徴とする請求項１記載のプラグ付きケーブル。
【請求項４】
当該プラグ付きケーブルをアンテナとして使用したときに、前記コンデンサが接続されていることに起因して、直列共振周波数が４７０ＭＨｚ以上７７０ＭＨｚ以下の周波数帯域から外れていることを特徴とする請求項１から３のうちのいずれか１項記載のプラグ付きケーブル。
【考案の詳細な説明】
【技術分野】
【０００１】
本考案は、例えばケーブルの一端にプラグが接続されたイヤホンやヘッドホン、あるいは一端にプラグ他端にジャックが接続されイヤホンやヘッドホンと電子機器との間に配置されてそれらの間の信号を中継する中継ケーブル、等のプラグ付きケーブルに関する。
【背景技術】
【０００２】
従来より、電波を受信するアンテナを別途に備えることに代わり、イヤホンやヘッドホンなどのケーブルをアンテナとして利用することが行なわれている（特許文献１，２参照。）。
【０００３】
ここで、イヤホンやヘッドホンのケーブルをアンテナとして利用するにあたり、そのケーブルの長さに長短があるとその長さに応じてアンテナとしての特性が変化し、所望の周波数帯域で十分な受信感度が得られないおそれがある。これを解消するため、電子機器とイヤホンやヘッドホンとの間に、イヤホンやヘッドホンの側にコイルを配置することにより、電波の受信周波数帯域についてイヤホン等との間を高インピーダンスとした中継ケーブルを配置し、イヤホン等を除く中継ケーブルのみをアンテナとして利用することが提案されている（特許文献１，３参照）。
【先行技術文献】
【特許文献】
【０００４】
【特許文献１】特開平９−３３１２０９号公報
【特許文献２】特許第４３６８３１０号公報
【特許文献３】特開平７−２９８３８４号公報
【考案の概要】
【考案が解決しようとする課題】
【０００５】
イヤホンやヘッドホン、あるいは中継ケーブルといったプラグ付きケーブルをアンテナとして利用した場合に、電波の受信感度を良好に保つには、長さだけの問題ではなく、その受信帯域内に直列共振周波数を含ませないことが大切である。しかしながら、現状のプラグ付きケーブルでは、所望の受信周波数帯域内に直列共振周波数を含み、十分な感度が得られないことがある。
【０００６】
本考案は、上記事情に鑑み、所望の受信周波帯域内に直列共振周波数のないプラグ付きケーブルを提供することを目的とする。
【課題を解決するための手段】
【０００７】
上記目的を達成する本考案のプラグ付きケーブルは、グランド線を含む複数の配線を有するケーブルの一端に、
ジャックとそのジャックを介してケーブルのグランド線に接続され、そのジャックを介して伝送されてきた電波信号を受けて音声信号及び／又は、画像信号を生成するチューナ回路とを有する電子機器のジャック
と組み合うプラグを備えたプラグアセンブリが接続されてなるプラグ付きケーブルであって、上記プラグアセンブリが、上記複数の配線のうちのグランド線とそのグランド線を除く他の少なくとも一本の配線との間に接続されたコンデンサを有することを特徴とする。
【０００８】
本考案のプラグ付きケーブルは、プラグアセンブリが上記のコンデンサを備えているため、直列共振周波数を周波数の低い方に移動させて使用する周波数帯域外とすることができる。
【０００９】
ここで、本考案のプラグ付きケーブルにおいて、上記プラグアセンブリが、上記複数の配線のうちのグランド線以外の一本の配線を除いた、グランド線を含む各配線上に、それらの各配線と直列に配置された各コイルを備え、上記コンデンサが、少なくともその一本の配線とグランド線との間に接続されていることが好ましい。
【００１０】
この構成とすると、コイルが配置されていない一本の配線がアンテナとして利用され、かつその一本の配線とグランド線との間のカップリング容量に起因する直列共振を使用帯域以外とすることができる。
【００１１】
あるいは、本考案のプラグ付きケーブルにおいて、上記プラグアセンブリが、上記複数の配線のうちのグランド線を除いた各配線上に各配線と直列に接続された各コイルを備えることも好ましい構成である。
【００１２】
この場合、グランド線がアンテナとして使用され、かつ上記一本の配線とグランド線との間のカップリング容量に起因する直列共振を使用帯域以外とすることができる。
【００１３】
ここで、本考案のプラグ付きケーブルは、地上デジタル放送の周波数帯域である４７０ＭＨｚ以上７７０ＭＨｚ以下の周波数帯域を受信帯域とするアンテナとして使用したときに、上記のコンデンサが接続されていることに起因して、直列共振周波数が４７０ＭＨｚ以上７７０ＭＨｚ以下の周波数帯域から外れている構成とすることも好ましい態様である。
【図面の簡単な説明】
【００１４】
【図１】比較例としての中継ケーブルの回路構成を示した図である。
【図２】スマートフォンのジャック近傍の回路を示した図である。
【図３】中継ケーブルのプラグをスマートフォンに挿した状態の、中継ケーブルとスマートフォンの連結部分の等価回路図である。
【図４】図３の等価回路を、配線２＿２、およびそれに繋がる配線５１＿２と、実際のグランドとの間の等価回路に書き直したときの等価回路図である。
【図５】電波の受信帯域における配線２＿２，５１＿２と実際のグランドとの間の等価回路を示した等価回路図である。
【図６】電波受信感度分布の実測値を示した図である。
【図７】本考案のプラグ付きケーブルの第１実施形態としての中継ケーブルの回路構成を示した図である。
【図８】図７に示す中継ケーブルのプラグをスマートフォンに挿した状態の、その中継ケーブルとスマートフォンとの連結部分の等価回路図である。
【図９】図３の等価回路を、配線２＿３およびその配線２＿３にコンデンサＣ１を介して繋がる配線５１＿２と、実際のグランドとの間の等価回路に書き直したときの等価回路図である。
【図１０】電波の受信帯域における配線２＿３，５１＿２と実際のグランドとの間の等価回路を示した等価回路図である。
【図１１】図７に示す第１実施形態の中継ケーブル１Ｂの第１変形例の、プラグアセンブリの部分を示した図である。
【図１２】図１１に示す第１変形例の等価回路図である。
【図１３】図７に示す第１実施形態の中継ケーブル１Ｂの第２変形例の、プラグアセンブリの部分を示した図である。
【図１４】図１３に示す第２変形例の等価回路図である。
【図１５】本考案のプラグ付きケーブルの第２実施形態としての中継ケーブルの回路構成図である。
【図１６】図１５に示す中継ケーブルのプラグをスマートフォンに挿した状態の、その中継ケーブルとスマートフォンとの連結部分の等価回路図である。
【図１７】図３の等価回路を、配線２＿２およびそれに繋がる配線５１＿２と、実際のグランドとの間の等価回路に書き直したときの等価回路図である。
【図１８】電波の受信帯域における配線２＿３，５１＿２と実際のグランドとの間の等価回路を示した等価回路図である。
【図１９】図１５に示す第２実施形態の中継ケーブル１Ｃの第１変形例の、プラグアセンブリの部分を示した図である。
【図２０】図１９に示す第１変形例の等価回路図である。
【図２１】図１５に示す第２実施形態の中継ケーブル１Ｃの第２変形例の、プラグアセンブリの部分を示した図である。
【図２２】図２１に示す第２変形例の等価回路図である。
【考案を実施するための形態】
【００１５】
以下、先ず本考案と対比される比較例について説明し、その比較例の説明を踏まえて本考案の実施形態を説明する。
【００１６】
図１は、比較例としての中継ケーブルの回路構成を示した図である。
【００１７】
この中継ケーブル１Ａは、ケーブル２と、そのケーブル２の一方の端部に接続されたジャックアセンブリ３と、そのケーブル２のもう一方の端部に接続されたプラグアセンブリ４とを備えている。
【００１８】
ケーブル２には、４本の配線２＿１〜２＿４を備えており、そのうちの一本の配線２＿２はグランド線である。これら４本の配線２＿１，２＿２，２＿３，２＿４は、シールド線２６でシールドされている。このシールド線２６は、プラグアセンブリ４側で配線（グランド線）２＿２に接続されている。
【００１９】
ジャックアセンブリ３は、ジャック３１と回路基板３２とを備えている。このうちのジャック３１は、イヤホンプラグ（図示せず）が差し込まれる差込口３１１と、その差込口の内部に配置された５つの端子３１２＿１〜３１２＿５を備えている。
【００２０】
これら５つの端子３１２＿１〜３１２＿５のうちの１つである端子３１２＿３は、ケーブル２には接続されておらず使用されていない状態となっている。残りの４つの端子３１２＿１，３１２＿２，３１２＿４，３１２＿５は、回路基板３２上に配置された各コイルＬ１，Ｌ２，Ｌ３，Ｌ４を介して各配線２＿１，２＿２，２＿３，２＿４に接続されている。これらのコイルＬ１，Ｌ２，Ｌ３，Ｌ４は、音声信号の周波数帯域では低いインピーダンスを持ち、電波の受信帯域では高いインピーダンスを持って、このプラグ３１に差し込まれたイヤホン等の配線との間を、その受信帯域では信号を断ち切る役割を担っている。
【００２１】
これら４つの端子３１２＿１，３１２＿２，３１２＿４，３１２＿５は、それぞれマイクロホン用（ＭＩＣ）、グランド用（ＧＮＤ）、右音声用（Ｒ）、および左音声用（Ｌ）である。
【００２２】
また、ケーブル２のもう一方の端部に接続されたプラグアセンブリ４は、プラグ４１と回路基板４２とを備えている。
【００２３】
プラグ４１は、４つの端子４１＿１，４１＿２，４１＿３，４１＿４を備えている。これらの端子４１＿１，４１＿２，４１＿３，４１＿４は、それぞれ、マイクロホン用（ＭＩＣ）、音声信号に対するグランド（ＧＮＤ）兼電波受信用のアンテナ（ＡＮＴ）、右音声用（Ｒ）および左音声用（Ｌ）である。このプラグ４１は、後述するスマートフォンに備えられたジャック（図２のジャック６）に差し込まれる。
【００２４】
またこのプラグアセンブリ４に備えられている回路基板４２上には、３つのコイルＬ５，Ｌ７，Ｌ８が搭載されている。これら３つのコイルＬ５，Ｌ７，Ｌ８は、ケーブル２の４本の配線２＿１〜２＿４のうちのグランド線２＿２を除く３本の配線２＿１，２＿３，２＿４にそれぞれ直列接続されている。それらの３本の配線２＿１，２＿３，２＿４は各コイルＬ５，Ｌ７，Ｌ８を介してプラグ４の各端子４１＿１，４１＿３，４１＿４にそれぞれ接続している。配線２＿２は、コイルを介在させずに端子４１＿２に直接に接続されている。
【００２５】
図２は、スマートフォンのジャック近傍の回路を示した図である。
【００２６】
このスマートフォン５は、本考案に言う電子機器の一例に相当する。
【００２７】
このスマートフォン５は、ジャック６を備えている。このジャック６は、図１に示す中継ケーブル１Ａに備えられているジャック３１と同一構造のものである。したがって、イヤホンのプラグをこのスマートフォン５のジャック６に直接に差し込むこともできる。ただし、ここでは、このスマートフォン５のジャック６には、図１の中継ケーブル１Ａのプラグ４１が差し込まれ、その中継ケーブル１Ａのジャック３１にイヤホンのプラグが差し込まれるものとする。
【００２８】
図２に示すスマートフォン５のジャック６は、図１に示す中継ケーブル１Ａのジャック３１と同一の構造を有する。具体的には、このジャック６は、イヤホンプラグあるいは図１に示す中継ケーブル１Ａのプラグ４１が差し込まれる差込口６１と、その差込口６１の内側に配置された５つの端子６２＿１〜６２＿５を有する。これら５つの端子６２＿１〜６２＿５のうちの１つである端子６２＿３は使用されていない。残りの４つの端子６２＿１，６２＿２，６２＿４，６２＿５は、スマートフォン５内部の各配線５１＿１〜５１＿４に接続されている。これら４本の配線５１＿１〜５１＿４のうち、配線５１＿１はマイクロホン用の配線である。また配線５１＿２は、コイルＬを介してグランドに接続されており、音声信号の周波数帯域については接地されている。また、この配線５１＿２の先にはチューナ回路（Ｔｕ）が接続されている。高周波である電波の受信信号についてはコイルＬは高インピーダンスであってこの配線５１＿２に伝えられた受信信号はチューナ回路に伝達される。このチューナ回路では、その伝達されてきた受信信号が音声信号や画像信号に変換される。このチューナ回路は、４７０ＭＨｚ以上７７０ＭＨｚ以下の周波数帯域をもつ地上デジタルテレビ放送の受信信号を音声信号や画像信号に変換する回路である。このスマートフォン５では、さらに、そのチューナ回路で生成された音声信号や画像信号に基づいて、音声や画像が出力される。
【００２９】
このスマートフォン５のジャック６に図１に示す中継ケーブル１Ａのプラグ４１を差し込み、かつその図１の中継ケーブル１Ａのジャック３１にマイクロホン付きイヤホンのプラグを差しむ。このときマイクロホンの信号は、イヤホン側から図１の中継ケーブル１Ａのジャック３１の端子３２＿１を経由し、ケーブル２の配線２＿１を通り、プラグ４１の端子４＿１を経由し、スマートフォン５のジャック６の端子６２＿１を経由し、配線５１＿１を経由してスマートフォン５の内部回路に伝達される。
【００３０】
また、スマートフォン５で生成された音声信号は、右音声（Ｒ）と左音声（Ｌ）とに分かれて、それぞれ配線５１＿３，５１＿４を通り、端子６２＿４，６２＿５を経由し、中継ケーブル１Ａのプラグ４１の端子４１＿３，４１＿４を経由し、ケーブル２の配線２＿３，２＿４を通り、ジャック３１の端子３２＿４，３２＿５を経由してイヤホンに伝えられる。このときはケーブル２の配線（グランド線）２＿２やスマートフォン５の配線５１＿２がグランドとしての役割を担っている。
【００３１】
ケーブル２の配線（グランド線）２＿２は地上デジタルテレビの電波を受信する受信アンテナとしての役割を兼ねている。
【００３２】
ここで中継ケーブル１Ａのジャックアセンブリ３中の回路基板３２上にはコイルＬ１〜Ｌ４が配置されており、ジャック３に差し込まれたイヤホンのケーブルとの間はコイルＬ１〜Ｌ４により、高周波の電波受信信号に対しては、遮断されている。したがって、この中継ケーブル１Ａをアンテナ線としてのみ使用する場合は、イヤホンのプラグがジャック３１に差し込まれている必要はない。
【００３３】
また、プラグアセンブリ４中の回路基板４２内のコイルＬ５，Ｌ７，Ｌ８により、４本の配線２＿１〜２＿４のうちの配線（グランド線）２＿２を除く３本の配線２＿１，２＿３，２＿４も遮断されている。したがってアンテナ線として作用するのは中継ケーブル１Ａの配線（グランド線）２＿２のみである。仮にジャックアセンブリ３の回路基板３２上のコイルＬ２が無くイヤホン側の配線も合わせたものをアンテナ線として使用する場合、イヤホンの配線の長さや太さ等がイヤホンの種類やメーカによって異なるため、アンテナとしての特性を安定的に保つのが困難となる。ここでは、あらかじめ長さや太さ等が確定している配線（グランド線）のみをアンテナ線として使用するため、アンテナとしての特性が安定する。
【００３４】
図３は、中継ケーブルのプラグをスマートフォンに挿した状態の、中継ケーブルとスマートフォンの連結部分の等価回路図である。縦の破線は中継ケーブル１Ａ側とスマートフォン５側とを分ける境界線である。
【００３５】
ここには、中継ケーブル１Ａの４本の配線２＿１〜２＿４のうちの配線（グランド線）２＿２を除く３本の配線２＿１，２＿３，２＿４にそれぞれ直列に配置させたコイルＬ５，Ｌ７，Ｌ８のほか、配線（グランド線）２＿２から見たときの配線間の寄生容量Ｃｓ１，Ｃｓ２，Ｃｓ３および４本の各配線２＿１〜２＿４の寄生インダクタンスＬ１１，Ｌ１２，Ｌ１３，Ｌ１４が示されている。
【００３６】
また、スマートフォン５側では、チューナ回路に繋がる配線５１＿２を除く各配線５１＿１，５１＿３，５１＿４とグランドとの間の寄生容量Ｃｓ１４，Ｃｓ１５，Ｃｓ１６が示されている。チューナ回路に繋がる配線５１＿２に寄生容量を示していないのは、図２に示す通り、この配線５１＿２とグランドとの間にコイルＬが配置されていて、そのコイルＬにより寄生容量が相殺されているからである。
【００３７】
図４は、図３の等価回路を、配線（グランド線）２＿２、およびそれに繋がる配線５１＿２と、実際のグランドとの間の等価回路に書き直したときの等価回路図である。
【００３８】
ここで、寄生容量Ｃｓ１４，Ｃｓ１５，Ｃｓ１６は寄生容量Ｃｓ１，Ｃｓ２，Ｃｓ３と比べ容量が極めて大きいので、電波の受信帯域では、Ｃｓ１４，Ｃｓ１５，Ｃｓ１６は単に導通しているものと見なすことができる。
【００３９】
図５は、電波の受信帯域における配線２＿２，５１＿２と実際のグランドとの間の等価回路を示した等価回路図である。
【００４０】
図４に示した等価回路の寄生容量Ｃｓ１４，Ｃｓ１５，Ｃｓ１６を単なる配線と見なすと図５に示す等価回路となる。
【００４１】
ここで、この図５に示すように配線２＿２，５１＿２と実際のグランドとの間には、Ｃｓ１―Ｌ１１，Ｃｓ２−Ｌ１３，Ｃｓ３−Ｌ１４の３つの直列共振回路が存在している。
この３つの直列共振回路のうちのいずれかの直列共振回路の共振周波数が電波の受信帯域内にあると、その共振周波数近傍の受信感度が低下することになる。
【００４２】
図６は、電波受信感度分布の実測値を示した図である。
【００４３】
グラフａは図１に示す中継ケーブル１Ａを図２に示すスマートフォン５に接続して地上波デジタルテレビの受信周波数帯域（４４０ＭＨｚ〜７７０ＭＨｚ）内の受信感度を調べたグラフである。
【００４４】
このグラフａの場合、５９０ＭＨｚ近傍に直列共振が存在し受信感度が大きく低下している。詳細に調べるとこの直列共振は、図５に示す等価回路におけるＣｓ２−Ｌ１３の直列共振回路によるものであることが分かった。そこで次にこの、Ｃｓ２−Ｌ１３の直列共振回路を電波の受信帯域から大きく低周波側に移動させることにより、電波の受信帯域の等価回路から消した、本考案の実施形態について説明する。以下に説明する第１実施形態の中継ケーブルを使用すると、図６のグラフｂのようにこの受信帯域内から直列共振が消え、良好な受信感度分布となる。
【００４５】
図７は、本考案のプラグ付きケーブルの第１実施形態としての中継ケーブルの回路構成を示した図である。スマートフォンについては図２を参照することとし、ここでの再度の図面掲載は省略する。
【００４６】
この第１実施形態の中継ケーブル１Ｂおよび後述する第２実施形態において、図１〜図５を参照して説明した比較例の中継ケーブル１Ａの構成要素と同じ構成要素には、図１〜図５において付した符号と同一の符号を付して示し、相違点について説明する。
【００４７】
図７に示す第１実施形態の中継ケーブル１Ｂは、図１に示す比較例としての中継ケーブル１Ａと同様、ケーブル２と、ジャックアセンブリ３と、プラグアセンブリ４とを備えている。ここで、ケーブル２およびジャックアセンブリ３は、図１に示す中継ケーブル１Ａと同一構成であり、以下、プラグアセンブリ４について説明する。
【００４８】
この図７に示す中継ケーブル１Ｂのプラグアセンブリ４は、プラグ４１と回路基板４２を備えている。このうちプラグ４１は図１の中継ケーブル１Ａのプラグ４１と同一構成である。
【００４９】
回路基板４２上には、３つのコイルＬ５，Ｌ６，Ｌ８が搭載されている。
【００５０】
これら３つのコイルＬ５，Ｌ６，Ｌ８は、ケーブル２の４本の配線２＿１〜２＿４のうちの配線２＿３を除く３本の配線２＿１，２＿２，２＿４にそれぞれ直列に接続されている。それら３本の配線２＿１，２＿２，２＿４は各コイルＬ５，Ｌ６，Ｌ８を介してプラグ４１の各端子４＿１，４＿２，４＿４にそれぞれ接続されている。配線２＿３はコイルを介在させずに端子４＿３に直接に接続されている。また、この回路基板４２上には、配線２＿２と配線２＿３とを接続するコンデンサＣ１が搭載されている。すなわち、このプラグアセンブリ４を図１の中継ケーブル１Ａのプラグアセンブリ４と比べると、図１のプラグアセンブリ４では、配線２＿２（ＧＮＤ）にコイルが介在していなかったのに対し、図７のプラグアセンブリ４では配線２＿３（Ｒ）にコイルが介在していない点とコンデンサＣ１が存在する点が異なる。
【００５１】
この中継ケーブル１Ｂのプラグ４１は、図２に示すスマートフォン５のジャック６に差し込まれる。
【００５２】
この場合、配線２＿３がアンテナ線として作用し、配線２＿３で電波を受けたことによる受信信号は、コンデンサＣ１を経由してスマートフォン５内のチューナ回路に伝達される。
【００５３】
図８は、図７に示す中継ケーブルのプラグをスマートフォンに挿した状態の、その中継ケーブルとスマートフォンとの連結部分の等価回路図である。
【００５４】
ここには、中継ケーブル１Ｂの４本の配線２＿１〜２＿４のうちの配線２＿３（Ｒ）を除く３本の配線２＿１，２＿２，２＿４にそれぞれ直列に配置させたコイルＬ５，Ｌ６，Ｌ８のほか、配線２＿３から見たときの配線間の寄生容量Ｃｓ４，Ｃｓ５，Ｃｓ６および４本の各配線２＿１〜２＿４の寄生インダクタンスＬ１１，Ｌ１２，Ｌ１３，Ｌ１４が示されている。
【００５５】
また、スマートフォン側では、チューナ回路に繋がる配線５１＿２を除く各配線５１＿１，５１＿３，５１＿４とグランドとの間の寄生容量Ｃｓ１４，Ｃｓ１５，Ｃｓ１６が示されている。チューナ回路に繋がる配線５１＿２に寄生容量を示していないのは、図３の説明の際に説明した通り、この配線５１＿２とグランドとの間にコイルＬが配置されていて、そのコイルＬにより寄生容量が相殺されているからである（図２参照）。
【００５６】
図９は、図３の等価回路を、配線２＿３およびその配線２＿３にコンデンサＣ１を介して繋がる配線５１＿２と、実際のグランドとの間の等価回路に書き直したときの等価回路図である。
【００５７】
ここで、寄生容量Ｃｓ１４，Ｃｓ１５，Ｃｓ１６は寄生容量Ｃｓ４，Ｃｓ６と比べ容量が極めて大きいので、電波の受信帯域ではＣｓ１４，Ｃｓ１５，Ｃｓ１６は単に導通しているものと見なすことができる。
【００５８】
図１０は、電波の受信帯域における配線２＿３，５１＿２と実際のグランドとの間の等価回路を示した等価回路図である。
【００５９】
図９に示した等価回路の寄生容量Ｃｓ１４，Ｃｓ１５，Ｃｓ１６、およびコンデンサＣ１を単なる配線と見なすと図１０に示す等価回路となる。
【００６０】
ここで、この図１０の等価回路を図５に示す比較例の等価回路と比べると、図５にあらわれているＣｓ２−Ｌ１３の直列共振回路が消えていることが分かる。
【００６１】
図５に示すＣｓ２−Ｌ１３の直列共振回路による共振周波数は、図６のグラフａに示す通り、ここでの受信帯域（４４０ＭＨｚ〜７７０ＭＨｚ）内にある。図７に示す第１実施形態の中継ケーブル１Ｂの場合、図１０に示す通り、図５に示すＣｓ２−Ｌ１３の直列共振回路が消え、図６のグラフｂに示す良好な受信感度分布となっている。
【００６２】
図１から分かる通り、配線（グランド線）２＿２を除く３本の配線２＿１，２＿３，２＿４は、回路図上で互いに同格の配線である。ここでは、それら３本の配線２＿１，２＿３，２＿４のうち配線２＿３（Ｒ）の寄生容量に起因して受信帯域内に直列共振が発生していたので、図７に示すように、配線２＿３をアンテナ線として使用しコンデンサＣ１を介してスマートフォンのチューナ回路に繋げている。これにより受信帯域内の直列共振を解消している。ただし、これは、配線２＿３の寄生容量に起因していたからであって、他の配線２＿１，２＿４の寄生容量に起因して受信帯域内に直列共振が発生しているときは、この図７に示す第１実施形態と同様な考え方でその邪魔な直列共振を消すことができる。
【００６３】
図１１は、図７に示す第１実施形態の中継ケーブル１Ｂの第１変形例の、プラグアセンブリの部分を示した図である。
【００６４】
ここでは、図１に示す比較例の中継ケーブル１Ａにおいて、配線２＿４の寄生容量に起因して邪魔な直列共振が発生しているものとする。このときは、配線２＿４をアンテナ線として使用し、その配線２＿４での受信信号をコンデンサＣ２を介してチューナに接続する構成とする。
【００６５】
図１２は、図１１に示す第１変形例を採用したときの等価回路図である。
【００６６】
図５に示す比較例の等価回路中のＣｓ３−Ｌ１４の直列共振回路が消えていることが分かる。配線２＿４の寄生容量に起因して受信の妨げとなる直列共振が発生しているときは、図１１に示す第１変形例の構成を採用することによってその受信の妨げとなる直列共振を消すことができる。
【００６７】
図１３は、図７に示す第１実施形態の中継ケーブル１Ｂの第２変形例の、プラグアセンブリの部分を示した図である。
【００６８】
ここでは、図１に示す比較例の中継ケーブル１Ａにおいて、配線２＿１の寄生容量に起因して邪魔な直列共振が発生しているものとする。このときは、配線２＿１をアンテナ線として使用し、その配線２＿１での受信信号をコンデンサＣ３を介してチューナに接続する構成とする。
【００６９】
図１４は、図１３に示す第２変形例を採用したときの等価回路図である。
【００７０】
図５に示す比較例の等価回路中のＣｓ１−Ｌ１１の直列共振回路が消えていることが分かる。配線２＿１の寄生容量に起因して受信の妨げとなる直列共振が発生しているときは、図１３に示す第２変形例の構成を採用することによってその受信の妨げとなる直列共振を消すことができる。
【００７１】
図１５は、本考案のプラグ付きケーブルの第２実施形態としての中継ケーブルの回路構成図である。
【００７２】
ここでも、スマートフォンについては図２を参照することとし、ここでの再度の図面掲載は省略する。
【００７３】
また、ここでも、図１の比較例の中継ケーブル１Ａを採用すると、配線２＿３の寄生容量に起因して受信帯域内に直列共振が発生するものとして説明する。
【００７４】
図１５に示す第２実施形態の中継ケーブル１Ｃは、図１に示す比較例としての中継ケーブル１Ａと同様、ケーブル２と、ジャックアセンブリ３と、プラグアセンブリ４とを備えている。ここで、ケーブル２およびジャックアセンブリ３は、図１に示す中継ケーブル１Ａと同一構成であり、以下、プラグアセンブリ４について説明する。
【００７５】
この図１５に示す中継ケーブル１Ｃのプラグアセンブリ４は、プラグ４１と回路基板４２を備えている。このうちプラグ４１は図１の中継ケーブル１Ａのプラグ４１と同一構成である。
【００７６】
回路基板４２上には、３つのコイルＬ５，Ｌ７，Ｌ８が搭載されている。
【００７７】
これら３つのコイルＬ５，Ｌ７，Ｌ８は、ケーブル２の４本の配線２＿１〜２＿４のうちの配線２＿２を除く３本の配線２＿１，２＿３，２＿４にそれぞれ直列に接続されている。それら３本の配線２＿１，２＿３，２＿４は各コイルＬ５，Ｌ７，Ｌ８を介してプラグ４１の各端子４１＿１，４１＿３，４１＿４にそれぞれ接続されている。配線２＿２はコイルを介在させずに端子４１＿３に直接に接続されている。また、この回路基板４２上には、配線２＿２と配線２＿３とを接続するコンデンサＣ４が搭載されている。すなわち、このプラグアセンブリ４を図１の中継ケーブル１Ａのプラグアセンブリ４と比べると、図１５のプラグアセンブリ４ではコンデンサＣ４が追加されている点のみ異なる。
【００７８】
この中継ケーブル１Ｃのプラグ４１は、図２に示すスマートフォン５のジャック６に差し込まれる。
【００７９】
この場合、配線２＿２がアンテナ線として作用し、配線２＿２で電波を受けたことによる受信信号がスマートフォン５内のチューナ回路に伝達される。
【００８０】
図１６は、図１５に示す中継ケーブルのプラグをスマートフォンに挿した状態の、その中継ケーブルとスマートフォンとの連結部分の等価回路図である。
【００８１】
ここには、中継ケーブル１Ｃの４本の配線２＿１〜２＿４のうちの配線２＿２を除く３本の配線２＿１，２＿３，２＿４にそれぞれ直列に配置させたコイルＬ５，Ｌ７，Ｌ８のほか、配線２＿２から見たときの配線間の寄生容量Ｃｓ１，Ｃｓ２，Ｃｓ３および４本の各配線２＿１〜２＿４の寄生インダクタンスＬ１１，Ｌ１２，Ｌ１３，Ｌ１４が示されている。またここには、寄生容量Ｃｓ２と並列に、図１５に示すコンデンサＣ４が配置されている。
【００８２】
また、スマートフォン側では、チューナ回路に繋がる配線５１＿２を除く各配線５１＿１，５１＿３，５１＿４とグランドとの間の寄生容量Ｃｓ１４，Ｃｓ１５，Ｃｓ１６が示されている。チューナ回路に繋がる配線５１＿２に寄生容量を示していないのは、図３の説明の際に説明した通り、この配線５１＿２とグランドとの間にコイルＬが配置されていて、そのコイルＬにより寄生容量が相殺されているからである（図２参照）。
【００８３】
図１７は、図３の等価回路を、配線２＿２およびそれに繋がる配線５１＿２と、実際のグランドとの間の等価回路に書き直したときの等価回路図である。
【００８４】
ここで、寄生容量Ｃｓ１４，Ｃｓ１５，Ｃｓ１６は寄生容量Ｃｓ１，Ｃｓ２，Ｃｓ３と比べ容量が極めて大きく、電波の受信帯域では、Ｃｓ４，Ｃｓ５，Ｃｓ６は単に導通しているものと見なすことができる。
【００８５】
図１８は、電波の受信帯域における配線２＿３，５１＿２と実際のグランドとの間の等価回路を示した等価回路図である。
【００８６】
図１７に示した等価回路の寄生容量Ｃｓ１４，Ｃｓ１５，Ｃｓ１６を単なる配線と見なし、かつコンデンサＣ４も単に短路しているものと考えると図１８に示す等価回路となる。
【００８７】
つまり、図１５に示す第２実施形態の中継ケーブル１Ｃによっても、受信帯域において、図５に示すＣｓ２−Ｌ１３の直列共振を消すことができる。
【００８８】
図１９は、図１５に示す第２実施形態の中継ケーブル１Ｃの第１変形例の、プラグアセンブリの部分を示した図である。
【００８９】
ここでは、図１に示す比較例の中継ケーブル１Ａにおいて、配線２＿４の寄生容量に起因して邪魔な直列共振が発生しているものとする。このときは、配線２＿２と配線２＿４との間にコンデンサＣ５を接続する。
【００９０】
図２０は、図１９に示す第１変形例を採用したときの等価回路図である。
【００９１】
図５に示す比較例の等価回路中のＣｓ３−Ｌ１４の直列共振回路が消えていることが分かる。
【００９２】
配線２＿４の寄生容量に起因して受信の妨げとなる直列共振が発生しているときは、図１９に示す第１変形例の構成を採用することによってその受信の妨げとなる直列共振を消すことができる。
【００９３】
図２１は、図１５に示す第２実施形態の中継ケーブル１Ｃの第２変形例の、プラグアセンブリの部分を示した図である。
【００９４】
ここでは、図１に示す比較例の中継ケーブル１Ａにおいて、配線２＿１の寄生容量に起因して邪魔な直列共振が発生しているものとする。このときは、配線２＿２と配線２＿１との間にコンデンサＣ６を接続する。
【００９５】
図２２は、図２１に示す第２変形例を採用したときの等価回路図である。
【００９６】
図５に示す比較例の等価回路中のＣｓ１−Ｌ１１の直列共振回路が消えていることが分かる。
【００９７】
配線２＿１の寄生容量に起因して受信の妨げとなる直列共振が発生しているときは、図２１に示す第２変形例の構成を採用することによってその受信の妨げとなる直列共振を消すことができる。
【００９８】
尚、ここでは、ケーブル２を構成する４本の配線２＿１〜２＿４のうちのいずれか１本の配線のみをアンテナ線として利用する場合について説明したが、それらの配線２＿１〜２＿４のうちの複数本の配線をアンテナ線として利用するときは、アンテナ線として利用しようとする配線についてプラグアセンブリ側のコイルを取り外した構成とすればよく、４本の配線全てをアンテナ線として利用する場合は、プラグアセンブリ側のコイルは不要である。この場合も配線間に跨るコンデンサ（例えば図７におけるコンデンサＣ１など）を配置することによって、直列共振を受信帯域内から消し去ることができる。
【００９９】
また、ここでは中継ケーブルを例に挙げて説明したが、本考案のプラグ付きケーブルは中継ケーブルに限られるものではなく、イヤホンやヘッドホン自体であってもよい。
【符号の説明】
【０１００】
１Ａ，１Ｂ，１Ｃ    中継ケーブル
２    ケーブル
２＿１〜２＿４，５１＿１〜５１＿４    配線
３    ジャックアセンブリ
４    プラグアセンブリ
５    スマートフォン
６，３１    ジャック，
２６    シールド線
３２，４２    回路基板
４１    プラグ
４１＿１〜４１＿４，３１２＿１〜３１２＿５，６２＿１〜６２＿５    端子
６１，３１１    差込口
Ｃ１〜Ｃ６    コンデンサ
Ｃｓ１〜Ｃｓ８，Ｃｓ１１〜Ｃｓ１２，Ｃｓ１４〜Ｃｓ１６    寄生容量
Ｌ１〜Ｌ８    コイル
Ｌ１１〜Ｌ１４    寄生インダクタンス
【図１】
0003183018.tif 000003
【図２】
0003183018.tif 000004
【図３】
0003183018.tif 000005
【図４】
0003183018.tif 000006
【図５】
0003183018.tif 000007
【図６】
0003183018.tif 000008
【図７】
0003183018.tif 000009
【図８】
0003183018.tif 000010
【図９】
0003183018.tif 000011
【図１０】
0003183018.tif 000012
【図１１】
0003183018.tif 000013
【図１２】
0003183018.tif 000014
【図１３】
0003183018.tif 000015
【図１４】
0003183018.tif 000016
【図１５】
0003183018.tif 000017
【図１６】
0003183018.tif 000018
【図１７】
0003183018.tif 000019
【図１８】
0003183018.tif 000020
【図１９】
0003183018.tif 000021
【図２０】
0003183018.tif 000022
【図２１】
0003183018.tif 000023
【図２２】
0003183018.tif 000024